(57)【特許請求の範囲】
【請求項１】
上面に作業面を有する天板と、
床面上に互いに離間して配置された一対のベース部と、
各前記ベース部に固定された下部脚体と、
該下部脚体に対して上下方向に相対移動することで前記天板の高さを調整可能に該天板を支持する上部脚体と、
前記下部脚体に支持され、内部に前記下部脚体に沿って空間部が形成されているとともに、外部と前記空間部とを連通する連通孔が形成された中空部材と、
パネル状の幕板と、を備え、
前記幕板は、
先端部が前記空間部内に配置され、前記連通孔に取り付けられる取付部を有し、
前記中空部材は、
中空状に形成され、前記連通孔が形成されたカバー本体と、
該カバー本体の内部に設けられたスペーサと、を有し、
該スペーサは、
前記下部脚体に沿って配置される基部と、
該基部から前記幕板側に向かって延びる壁部と、を有することを特徴とする天板昇降式什器。
【請求項２】
前記取付部は、前記連通孔に係止される係止爪部であることを特徴とする請求項１に記載の天板昇降式什器。
【請求項３】
前記中空部材の内部に前記下部脚体が配置されるとともに、前記下部脚体と隣接して前記空間部が形成され、
前記中空部材の下端部が前記ベース部に支持されていることを特徴とする請求項１または２に記載の天板昇降式什器。
【請求項４】
前記空間部は、前記下部脚体において、利用者が前記天板に向かう側と反対側に設けられていることを特徴とする請求項１から３のいずれか一項に記載の天板昇降式什器。
【発明の詳細な説明】
【技術分野】
【０００１】
本発明は、昇降式の天板を備えたデスク装置、テーブル装置、カウンター装置等の天板昇降式什器に関する。
【背景技術】
【０００２】
一般的に、オフィスや病院等の公共施設等の執務空間においては、執務者に作業エリアを提供するためにデスク、テーブル、作業台、実験台等の天板付什器が配設されている。天板付什器の天板の高さについて、執務者の体格や性別、嗜好により作業のし易い高さが個々により大きく異なる。天板の高さが一定の場合にはこのような実情に対応できないため、天板の高さを上下方向に変更可能とした天板昇降式什器が使用されている。こうした天板昇降式什器を用いることにより、執務者の要望に応じた天板の高さの作業エリアを提供することができ、作業効率を向上するとともに、執務者の体への負荷を低減することができる。
【０００３】
天板の高さを上下方向に変更するための手段としては、ガススプリングを用いる方法、ギアを用いる方法等が提案されている（例えば、下記特許文献１及び２参照）。これらの方法によれば、比較的簡易的な構造とし、コストを安く抑えることができる。また、執務者の操作性を良好にするために電動式の昇降機構ユニットを用いる方法が多く採用されている（例えば、下記特許文献３から５参照）。この方法によれば、執務者が容易な操作で天板の高さを変更できる。
【０００４】
ところで、執務者の下肢が露呈するのを防止するために、天板付什器では、天板の下方にパネル状の幕板を設けた天板付什器が一般的に知られている。
【先行技術文献】
【特許文献】
【０００５】
【特許文献１】特許第３３７１９５９号公報
【特許文献２】特許第３３９１２８５号公報
【特許文献３】登録実用新案第３１６４７３９号公報
【特許文献４】特開２０１４−１１３５０５号公報
【特許文献５】特許第５７１８５０３号公報
【発明の概要】
【発明が解決しようとする課題】
【０００６】
しかしながら、天板昇降式什器では、脚体が伸縮することで脚体に支持された天板の高さが上下方向に変化するため、執務者の下肢の露呈を防止する幕板を脚体に設けることが困難である。
また、幕板を取り付けた場合に、利用者の中には閉塞感を感じてしまう者もいる。このため、利用者の要望等に応じて幕板を脚体に取り付けることが好ましいが、幕板を螺子止め等で脚体に取り付けると、幕板を取り外した際に脚体に螺子孔等の加工が露出して体裁が悪いため、脚体に加工を施さずに幕板を取り付けることが望まれている。
【０００７】
本発明は、上記事情に鑑みてなされたものであり、脚体に加工を施さずに、利用者の下肢の露呈を防止する幕板を取り付け可能な天板昇降式什器を提供するものである。
【課題を解決するための手段】
【０００８】
上記目的を達成するために、本発明は以下の手段を採用している。
すなわち、本発明に係る天板昇降式什器は、上面に作業面を有する天板と、床面上に互いに離間して配置された一対のベース部と、各前記ベース部に固定された下部脚体と、該下部脚体に対して上下方向に相対移動することで前記天板の高さを調整可能に該天板を支持する上部脚体と、前記下部脚体に支持され、内部に前記下部脚体に沿って空間部が形成されているとともに、外部と前記空間部とを連通する連通孔が形成された中空部材と、パネル状の幕板と、を備え、前記幕板は、先端部が前記空間部内に配置され、前記連通孔に取り付けられる取付部を有し、前記中空部材は、中空状に形成され、前記連通孔が形成されたカバー本体と、該カバー本体の内部に設けられたスペーサと、を有し、該スペーサは、前記下部脚体に沿って配置される基部と、該基部から前記幕板側に向かって延びる壁部と、を有することを特徴とする。
【０００９】
このように構成された天板昇降式什器では、下部脚体は、床面上に設置されるベース部に固定されている。内部に下部脚体に沿って空間部が形成された中空部材は、下部脚体に支持されている。また、中空部材には、外部と空間部とを連通する連通孔が形成されている。先端部が空間部内に配置された幕板の取付部は、連通孔に取り付けられている。つまり、中空部材により、下部脚体に沿って配置される空間部を形成され、該空間部内に先端部が配置された取付部により、幕板が下部脚体に取り付けられている。よって、下部脚体に加工を施さずに幕板を下部脚体に取り付けることができるとともに、パネル状の幕板により利用者の下肢の露出を防止することができる。
また、幕板と下部脚体とを取り付ける取付部の先端部は、中空部材の内部の空間部内に配置されるため、取付部分の露出が抑制される。
【００１０】
また、本発明に係る天板昇降式什器は、前記取付部は、前記連通孔に係止される係止爪部であることが好ましい。
【００１１】
このように構成された天板昇降式什器では、取付部は連通孔に係止される係止爪部であるため、簡易な構成で、幕板を下部脚体に取り付けることができる。
【００１２】
また、本発明に係る天板昇降式什器は、前記中空部材の内部に前記下部脚体が配置されるとともに、前記下部脚体と隣接して前記空間部が形成され、前記中空部材の下端部が前記ベース部に支持されていてもよい。
【００１３】
このように構成された天板昇降式什器では、中空部材の内部に下部脚体が配置されるとともに、下部脚体と隣接して空間部が形成されている。中空部材の下端部は、ベース部に支持されている。よって、簡易な構成で、下部脚体に中空部材を支持させて、幕板を取り付ける取付部が配置される空間部を設けることができる。
【００１４】
また、本発明に係る天板昇降式什器は、前記空間部は、前記下部脚体において、利用者が前記天板に向かう側と反対側に設けられていてもよい。
【００１５】
このように構成された天板昇降式什器では、空間部は下部脚体において利用者が天板に向かう側と反対側に設けられ、当該空間部を利用して幕板が取り付けられる。よって、天板の下方の利用者の下肢が配置される空間を確保しつつ、幕板を設けることができる。
【発明の効果】
【００１６】
本発明に係る天板昇降式什器によれば、脚体に加工を施さずに、利用者の下肢の露呈を防止する幕板を取り付けることができる。
【図面の簡単な説明】
【００１７】
【図１】本発明の一実施形態に係る天板昇降式什器の斜視図である。
【図２】本発明の一実施形態に係る天板昇降式什器を、図１と異なる角度から見た斜視図である。
【図３】本発明の一実施形態に係る天板昇降式什器の幕板の分解斜視図である。
【図４】本発明の一実施形態に係る天板昇降式什器の構成を示す縦断面図であり、図５のＢ−Ｂ断面図である。
【図５】本発明の一実施形態に係る天板昇降式什器の構成を示す水平断面図であり、図４のＡ−Ａ断面図である。
【図６】本発明の一実施形態の変形例に係る天板昇降式什器を幕板側から見た正面図である。
【図７】本発明の一実施形態の変形例に係る天板昇降式什器の側面図である。
【図８】本発明の一実施形態の変形例に係る天板昇降式什器の幕板の分解斜視図である。
【図９】本発明の一実施形態の変形例に係る天板昇降式什器の構成を示す水平断面図である。
【発明を実施するための形態】
【００１８】
以下、本発明の天板昇降式什器の実施形態の一例としてデスク装置について、図面を参照して説明する。
図１、図２は、本発明の一実施形態に係る天板昇降式什器の斜視図である。なお、図２において、後述する昇降ユニット１４の一部よりも上方を二点鎖線で示している。
図１及び図２に示すように、デスク装置１は、床面Ｆに設置される下部構造体１０と、下部構造体１０に支持された天板２１と、天板２１の下方に設けられた上部幕板４１及び下部幕板（幕板）４３と、を備えている。
【００１９】
下部構造体１０は、一対の脚部材１１と、これら一対の脚部材１１間を連結する連結部材（不図示。以下同じ。）と、を有している。
【００２０】
脚部材１１は、天板２１の長辺方向（以下、この方向を幅方向と適宜称する。）に間隔を有して配置されている。
【００２１】
各脚部材１１は、床面Ｆに設けられるベース部材（ベース部）１２と、各ベース部材１２の上部に設けられて上下方向に延び天板２１を支持する一対の昇降ユニット（脚体）１４と、を有している。
【００２２】
各ベース部材１２は、天板２１の短辺方向（以下、この方向を前後方向と適宜称する。）に延びている。ベース部材１２の下面には、床面Ｆに設置する接地部材１２ｆが、前後方向両側に設けられている。各接地部材１２ｆは、ベース部材１２から下方への突出寸法が調整可能である。これにより、ベース部材１２の高さおよび水平レベルを調整できるようになっている。
【００２３】
昇降ユニット１４は、ベース部材１２の上面１２ｔから上方に延びるように設けられている。
【００２４】
昇降ユニット１４は、平断面寸法が互いに異なる複数の筒状体１４ａ，１４ｂ，１４ｃを備えている。昇降ユニット１４は、最も平断面寸法が大きな筒状体（下部脚体）１４ａの内側に筒状体（上部脚体）１４ｂが挿入され、筒状体１４ｂの内側に筒状体（上部脚体）１４ｃが挿入されている。図示しない駆動機構によって、筒状体１４ａに対し、その内側に挿入された筒状体１４ｂ，１４ｃが上下方向に出没する。このようにして、昇降ユニット１４は上下方向に伸縮し、天板２１を上下方向に昇降可能に支持する。これら筒状体１４ａ，１４ｂ，１４ｃは、板金等の折曲加工で形成されている。
【００２５】
天板２１は、平面視長方形の板状で、上面に作業面２１ｔを有している。天板２１の幅方向の両側の下面には、支持ブラケット（不図示。以下同じ。）が設けられている。天板２１は、支持ブラケット介して、脚部材１１の筒状体１４ｃの上端に連結されている。
【００２６】
天板２１の前端部２１ｆの下面２１ｕには、昇降ユニット１４の昇降動作を操作する操作部２２が設けられている。操作部２２は、操作部２２の操作入力に応じて昇降ユニット１４の動作を制御する制御ユニット（不図示。以下同じ。）に、配線ケーブル（不図示。以下同じ。）を介して接続されている。制御ユニットは、例えば、天板２１の下面２１ｕ等に固定されている。
【００２７】
利用者が操作部２２に対して所定の操作を入力すると、操作部２２から配線ケーブルを介し、制御ユニットに操作信号が送信される。制御ユニットは、操作部２２から操作信号を受信すると、受信した信号に基づいて昇降ユニット１４に昇降動作を実行させる指令信号を出力する。昇降ユニット１４は、指令信号を受け取ると、その指令信号に応じて伸縮駆動され、これによって天板２１の高さの調整がなされる。
【００２８】
また、天板２１の後端部２１ｒ側において、長辺方向の両側には、上下に貫通する配線挿通孔（不図示。以下同じ。）が設けられている。配線挿通孔には、配線キャップ２４が嵌合されている。
【００２９】
上部幕板４１は、天板２１の下面２１ｕの後端部２１ｒ側の下側に設けられている。上部幕板４１は、ブラケット（不図示。以下同じ。）を介して天板２１の下面２１ｕに固定されている。
【００３０】
上部幕板４１は、天板２１の幅方向及び鉛直面に沿って配置されている。上部幕板４１は、天板２１の後端２１ｓよりも前方（利用者がデスク装置１に対向する側）に所定寸法オフセットした位置に設けられている。
【００３１】
下部幕板４３は、一対の脚部材１１の筒状体１４ａの後側に設けられている。
図３は、デスク装置１の下部幕板４３の分解斜視図である。
図３に示すように、下部幕板４３は、取付部材（中空部材）５０及び幕板ブラケット６０を介して筒状体１４ａに固定されている。
【００３２】
取付部材５０は、筒状体１４ａの周りを囲うように配置される支柱カバー５１と、支柱カバー５１の上端部の一部を閉塞するカバーキャップ５９と、を有している。支柱カバー５１は内部に筒状体１４ａを嵌め込んだ状態で、下端部５１ａはベース部材１２の上面１２ｔに支持されている。
【００３３】
支柱カバー５１は、中空状に形成され上下方向に延びるカバー本体５２と、カバー本体５２の内部に設けられ上下方向に延びるスペーサ５６と、を有している。
【００３４】
図４は、デスク装置１の構成を示す縦断面図であり、図５のＢ−Ｂ断面図である。図５は、デスク装置１の構成を示す水平断面図であり、図４のＡ−Ａ断面図である。
図５に示すように、カバー本体５２は、水平断面が視略矩形状をなし、一辺の中間部が開口する外カバー部５３と、外カバー部５３の内面に沿って、開口部分を閉塞するように設けられた内カバー部５４と、を有している。本実施形態では、これら外カバー部５３及び内カバー部５４は、板金等を加工して形成され、互いに溶接等により連結されている。
【００３５】
外カバー部５３の後方（下部幕板４３側）を向く後側板状部５３ｒには、内側にスペーサ５６が設けられている。スペーサ５６は、水平断面がコ字状をなすように、一方（下部幕板４３側）に向かって開口している。スペーサ５６は、脚部材１１の筒状体１４ａの後側板状部１４ｒに沿って配置される基部５６ａと、基部５６ａの幅方向両側から下部幕板４３側に向かって延びる対向壁部５６ｂと、を有している。
【００３６】
対向壁部５６ｂの先端部が、外カバー部５３の後側板状部５３ｒに連結されている。これにより、支柱カバー５１内では、対向壁部５６ｂの延出長さに相当する前後方向の空間部Ｓ１が形成されている。本実施形態では、スペーサ５６も、板金等を加工して形成され、カバー本体５２に溶接等により連結されている。
【００３７】
対向壁部５６ｂには、板厚方向に貫通する取付孔５６ｈが形成されている。この取付孔５６ｈは、後述する幕板ブラケット６０を取り付けるためのものである。
【００３８】
図３に示すように、外カバー部５３の後方（下部幕板４３側）を向く後側板状部５３ｒには、スペーサ５６の基部５６ａに向かって板厚方向に貫通する係止孔（連通孔）５３ｘが上下方向に離間して２箇所に形成されている。また、外カバー部５３の後側板状部５３ｒには、板厚方向に貫通する貫通孔５３ｈが上下方向に離間して３箇所に形成されている。これらの係止孔５３ｘ及び貫通孔５３ｈは、後述する幕板ブラケット６０を取り付けるためのものである。
【００３９】
また、スペーサ５６の上端部には、水平方向に延びる上壁部５６ｃが設けられている。上壁部５６ｃには、上下方向に貫通する取付孔５６ｙが形成されている。取付孔５６ｙは、後述するケーブル保護チェーン４５を取り付けるためのものである。
【００４０】
カバーキャップ５９は、キャップ本体５９ａと、キャップ本体５９ａから下方に延びる嵌合部５９ｂと、を有している。嵌合部５９ｂがカバー本体５２内に嵌め込まれることで、キャップ本体５９ａがカバー本体５２の上端部を閉塞する。カバーキャップ５９は、支柱カバー５１内で筒状体１４ａが配置されていない部分、つまり後側を閉塞している。
【００４１】
一方、幕板ブラケット６０は、下部幕板４３の前面４３ｆに沿うように板状に形成された板状部６１と、板状部６１から前方に延びる係止爪部（取付部）６２と、を有している。これら板状部６１及び係止爪部６２は、一体的に形成されている。
【００４２】
板状部６１には、板厚方向に貫通する取付孔６１ｈが形成されている。この取付孔６１ｈには螺子６１ｓが下部幕板４３にねじ込まれている。螺子６１ｓの頭部は、支柱カバー５１の貫通孔５３ｈ内に配置されている。
【００４３】
係止爪部６２は、上下方向に離間して２箇所に形成されている。係止爪部６２は、板状部６１の縁部から連続して設けられた基部６３と、基部６３から下方に延びる下向部６４と、を有している。基部６３の上端から下向部６４の下端までの上下方向の長さは、支柱カバー５１の係止孔５３ｘの上下方向の長さよりも僅かに短い。係止爪部６２は、係止孔５３ｘに挿通され、下向部６４が後述する空間部Ｓ１に配置され、基部６３が係止孔５３ｘに係止されている。
【００４４】
係止爪部６２には、板厚方向に貫通する取付孔６２ｈが形成されている。図４及び図５に示すように、スペーサ５６の取付孔５６ｈに挿通された螺子５６ｓが、係止爪部６２の取付孔６２ｈに螺合されている。下部幕板４３に固定された幕板ブラケット６０の係止爪部６２が取付部材５０の係止孔５３ｘに係止されるとともに、係止爪部６２が螺子５６ｓでスペーサ５６に螺合されることで、下部幕板４３は筒状体１４ａに装着されている。なお、支柱カバー５１の外カバー部５３の側面には図示しない開口が形成され、当該開口から螺子止めが可能とされている。
【００４５】
図１に示すように、この下部幕板４３は、上部幕板４１に対して前方に配置され、上部幕板４１と下部幕板４３との間には前後方向に隙間Ｓ２が形成されている。
【００４６】
隙間Ｓ２には、電源用、通信用等をはじめとする各種の配線等（不図示。以下同じ。）が挿通されるケーブル保護チェーン４５が設けられている。
【００４７】
図３に示すように、ケーブル保護チェーン４５は、断面視略コの字状の多数のチェーンコマ４５ａをリングピン４５ｂで順次回動可能に連結したチェーン状部材である。各チェーンコマ４５ａの開口部４５ｃを通して、その内部空間に配線等を収納することができる。
【００４８】
図２に示すように、ケーブル保護チェーン４５は、一端部４５ｘが取付金具４８を介して天板２１の下面２１ｕに固定されている。図１に示すように、天板２１において、配線キャップ２４が嵌め込まれている配線挿通孔から、天板２１上で使用する機器等から導出される配線等を天板２１の下方に通すことができる。ケーブル保護チェーン４５の一端部４５ｘは、この配線挿通孔の下方または近傍に位置し、配線挿通孔に挿通された配線等が、ケーブル保護チェーン４５内に挿入される。
【００４９】
図３及び図４に示すように、ケーブル保護チェーン４５の他端部４５ｚは、取付部材５０のスペーサ５６に係止金具４６を介して固定されている。係止金具４６は、スペーサ５６上に螺子４７によって固定された基部４６ａと、基部４６ａに連続し、カバー本体５２の後側板状部５３ｒに沿って上方に延びる前壁部４６ｂと、を有している。さらに、係止金具４６は、前壁部４６ｂに連続し、下部幕板４３の上端部４３ｔ上に沿って延びる上面部４６ｃと、上面部４６ｃに連続し、下部幕板４３の後側に沿って下方に延びる後壁部４６ｄと、上面部４６ｃから後方に突出するように延びる支持部４６ｅと、を有している。ケーブル保護チェーン４５の他端部４５ｚは、係止金具４６の支持部４６ｅに連結されている。
【００５０】
図２に示すように、ケーブル保護チェーン４５は、天板２１と取付部材５０とに、それぞれ幅方向にオフセットした位置で固定されている。これにより、ケーブル保護チェーン４５は、前後方向から見たときに、中間部分がＵ字状に垂れ下がっている。
【００５１】
次に、下部幕板４３を昇降ユニット１４の筒状体１４ａに取り付ける手順について説明する。天板２１を昇降ユニット１４に取り付ける前に、昇降ユニット１４の筒状体１４ａに対して取付部材５０を上方から移動させて、取付部材５０内に筒状体１４ａを嵌め込む。取付部材５０の下端部５１ａをベース部材１２の上面１２ｔが当接支持するまで、取付部材５０を移動させる。
【００５２】
取付部材５０の内部にはスペーサ５６が設けられているため、筒状体１４ａはカバー本体５２の後側板状部５３ｒと反対側の前側板状部５３ｆに沿って配置され、筒状体１４ａと後側板状部５３ｒとの間には空間部Ｓ１が形成される。
【００５３】
下部幕板４３には、幕板ブラケット６０を螺子６１ｓで取り付けておく。幕板ブラケット６０の係止爪部６２を取付部材５０の係止孔５３ｘに挿入して、下部幕板４３を下方に移動させることで、係止爪部６２を係止孔５３ｘに係止させる。また、係止爪部６２とスペーサ５６とを、取付部材５０の側面の開口から螺子５６ｓで螺合する。
【００５４】
スペーサ５６の上壁部５６ｃに、ケーブル保護チェーン４５に取り付けられた係止金具４６を螺子４７で螺合する。そして、カバーキャップ５９で、取付部材５０の上部を閉塞する。その後、昇降ユニット１４の筒状体１４ｃに、天板２１を支持ブラケット介して固定する。以上により、下部幕板４３の昇降ユニット１４への取り付けが完了する。
【００５５】
一方、下部幕板４３を取り外す際には、取付部材５０の側面の開口から螺子５６ｓを緩めて取り外し、下部幕板４３を上方に移動させてから後方に移動させる。これにより、係止爪部６２が係止孔５３ｘから抜けて、下部幕板４３を取り外すことができる。また、天板２１を昇降ユニット１４から取り外して、取付部材５０を筒状体１４ａから上方に移動させれば、取付部材５０を筒状体１４ａから取り外すこともできる。
【００５６】
このように構成されたデスク装置１によれば、筒状体１４ａは、床面Ｆ上に設置されるベース部材１２に固定されている。内部に筒状体１４ａに沿って空間部Ｓ１が形成された取付部材５０は、筒状体１４ａに支持されている。また、取付部材５０には、外部と空間部Ｓ１とを連通する係止孔５３ｘが形成されている。下向部６４が空間部Ｓ１内に配置された係止爪部６２は、基部６３が係止孔５３ｘに係止されている。つまり、取付部材５０により、筒状体１４ａに沿って配置される空間部Ｓ１を形成し、該空間部Ｓ１内に配置される係止爪部６２により下部幕板４３が筒状体１４ａに取り付けられている。よって、筒状体１４ａに加工を施さずに下部幕板４３を筒状体１４ａに取り付けることができるとともに、パネル状の下部幕板４３により利用者の下肢の露出を防止することができる。
【００５７】
また、係止孔５３ｘへの係止爪部６２の係止により、下部幕板４３は筒状体１４ａに取り付けられるため、簡易な構成とすることができる。
【００５８】
また、下部幕板４３と筒状体１４ａとを取り付ける係止爪部６２は、取付部材５０の内部の空間部Ｓ１内に配置されるため、取付部分の露出が抑制される。
【００５９】
また、取付部材５０の内部に筒状体１４ａが配置して、取付部材５０の下端部５１ａをベース部材１２の上面１２ｔで支持させれば、筒状体１４ａに取付部材５０を設けることができる。よって、簡易な構成で、筒状体１４ａに取付部材５０を支持させて、下部幕板４３を取り付ける係止爪部６２が配置される空間部Ｓ１を設けることができる。
【００６０】
また、空間部Ｓ１は筒状体１４ａの後側に設けられ、下部幕板４３は空間部Ｓ１の後側に設けられている。よって、天板２１の下方の利用者の下肢が配置される空間を確保しつつ、下部幕板４３を設けることができる。
【００６１】
（変形例）
次に、上記に示す実施形態の変形例について、主に図６から図９を用いて説明する。
以下の変形例において、前述した実施形態で用いた部材と同一の部材には同一の符号を付して、その説明を省略する。
図６は、本発明の一実施形態の変形例に係る天板昇降式什器を幕板側から見た正面図である。図７は、発明の一実施形態の変形例に係る天板昇降式什器の側面図である。
図６及び図７に示すように、デスク装置１Ａでは、下部幕板１４３は、取付部材（中空部材）１５０を介して筒状体１４ａに固定されている。
【００６２】
図８は、本発明の一実施形態の変形例に係る天板昇降式什器の幕板の分解斜視図である。図９は、本発明の一実施形態の変形例に係る天板昇降式什器の構成を示す水平断面図である。
図８及び図９に示すように、取付部材１５０の支柱カバー１５１は、外カバー部１５３と、外カバー部１５３の内面に沿って設けられた内カバー部１６１と、を有している。
【００６３】
外カバー部１５３は、筒状体１４ａの前側板状部１４ｆに沿って配置される前側板状部１５４と、前側板状部１５４の幅方向の両端部から後方に延びる側方板状部１５５ａ，１５５ｂを有している。側方板状部１５５ｂの長さは、筒状体１４ａの側面１４ｓの長さよりも短い。
【００６４】
さらに、外カバー部１５３は、側方板状部１５５ａの端部から、後方に向かうにしたがって次第に幅方向の内側に向かうにように形成された斜行壁部１５６と、斜行壁部１５６の端部から幅方向の内側に延びる後側板状部１５７と、を有している。
【００６５】
さらに、外カバー部１５３は、後側板状部１５７の端部から前方に延びる壁部１５８と、壁部１５８の端部から幅方向の外側に延びる折り返し壁部１５９と、を有している。
【００６６】
壁部１５８には、板厚方向に貫通する取付孔１５８ｈが形成されている。この取付孔１５８ｈは、後述する配線トレイ１７０を取り付けるためのものである。
【００６７】
内カバー部１６１は、端部が外カバー部１５３の側方板状部１５５ｂの内面に沿って設けられ後方に延びる側方板状部１６２と、側方板状部１６２の端部から幅方向の外側に延びる壁部１６３と、を有している。
【００６８】
さらに、内カバー部１６１は、壁部１６３の端部から後方に延びる取付壁部１６４と、取付壁部１６４の端部から内カバー部の斜行壁部１５６の内面に沿って設けられた折り返し壁部１６５と、を有している。これら外カバー部１５３と内カバー部１６１とは、側方板状部１５５ｂと側方板状部１６２との間、及び斜行壁部１５６と折り返し壁部１６５との間が溶接等により連結され、一体とされている。
【００６９】
取付壁部１６４には、板厚方向に貫通する取付孔（連通孔）１６４ｈが形成されている。この取付孔１６４ｈは、後述する下部幕板１４３を取り付けるためのものである。
【００７０】
この支柱カバー１５１の内部において、筒状体１４ａは、前後方向には前側板状部１５４と壁部１６３とに挟み込まれている。また、筒状体１４ａは、幅方向には側方板状部１５５ａと側方板状部１５５ｂ及び側方板状部１６２の前部に挟み込まれている。このようにして、筒状体１４ａは、支柱カバー１５１の内部に嵌め込まれている。
【００７１】
また、支柱カバー１５１の内部には、筒状体１４ａの後方に空間部Ｓ１１が形成されている。
【００７２】
下部幕板１４３は、鉛直面に沿ってパネル状に形成された幕板本体部１４４と、幕板本体部１４４の幅方向の両端部からそれぞれ前方に延びる前向き壁部１４５と、前向き壁部１４５の端部から幅方向の外側に延びる外向き壁部１４６と、外向き壁部１４６の端部から前方に延びる取付壁部１４７と、を有している。
【００７３】
下部幕板１４３の壁部１４５は支柱カバー１５１の壁部１５８に沿い、壁部１４６は折り返し壁部１５９に沿い、取付壁部１４７は取付壁部１６４にそれぞれ沿っている。
【００７４】
取付壁部１４７には、板厚方向に貫通する取付孔１４７ｈが形成されている。取付孔１４７ｈから挿通された螺子（取付部）１４７ｓは、先端が空間部Ｓ１１に配置され、支柱カバー１５１の取付孔１６４ｈに螺合されている。これにより、下部幕板１４３は、支柱カバー１５１に取り付けられている。
【００７５】
また、配線トレイ１７０は、底部１７１と、底部１７１から立ち上がる複数の立設壁部１７２と、を有し、鉛直断面において上向きコ字状に形成されている。
【００７６】
支柱カバー１５１の壁部１５８に沿う立設壁部１７２には、板厚方向に貫通する取付孔１７２ｈが形成されている。取付孔１７２ｈから挿通された螺子１７２ｓは、支柱カバー１５１の取付孔１５８ｈに螺合されている。これにより、配線トレイ１７０は、支柱カバー１５１に取り付けられている。
【００７７】
また、下部幕板１４３の外向き壁部１４６、取付壁部１４７及び支柱カバー１５１の壁部１６３により、幅方向の外側に向かって凹む、上下方向に延びる空間部Ｓ１２が形成されている。また、空間部Ｓ１２には、水平断面視コ字状をなす配線カバー１７６が嵌め込まれている。
【００７８】
配線トレイ１７０に設けられた配線ケーブル（不図示。以下同じ。）は、空間部Ｓ１２内で上下方向に配置される。空間部Ｓ１２には配線カバー１７６が嵌め込まれているため、配線ケーブルの露出が抑制される。
【００７９】
このデスク装置１Ａでは、下部幕板１４３における支柱カバー１５１との連結部分になる取付壁部１４７は、幕板本体部１４４の側方に設けられており、幕板本体部１４４の後面と支柱カバー１５１の後側板状部１５７の後面とを同一面上に納めることができる。
【００８０】
（その他の実施形態）
なお、本発明の天板昇降式什器は、図面を参照して説明した上述の実施形態に限定されるものではなく、その技術的範囲において様々な変形例が考えられる。
例えば、カバー本体５２の内部において、筒状体１４ａを前側に配置して、空間部Ｓ１を筒状体１４ａの後側に形成するようにしているが、本発明はこれに限られない。例えば、空間部を筒状体１４ａの側方に形成するようにしてもよい。
【００８１】
また、支柱カバー５１が筒状体１４ａの全体を覆うように形成されているが、本発明はこれに限られない。係止爪部６２が挿通される空間が形成された中空部材をマグネット等で筒状体１４ａの後面に取り付ける構成であってもよい。
【００８２】
また、係止孔５３ｘに係止爪部６２が係止される構成であるが、本発明はこれに限られない。連通孔に連通されて中空部材の内面にナットが溶接等により固定されており、取付部としてのボルトをこれに対して螺合させる構成であってもよい。
【００８３】
加えて、天板昇降式什器１の下部構造体１０は、天板２１が昇降可能であれば、例えば、脚部材１１の構造、配置、設置本数等を、他のいかなる構成としても良い。
また、天板昇降式什器１は、その用途を限るものではなく、デスク装置の他、作業台、実験台、テーブル、カウンター等の用途のものであってもよい。
これ以外にも、本発明の主旨を逸脱しない限り、上記実施の形態で挙げた構成を取捨選択したり、他の構成に適宜変更したりすることが可能である。
【符号の説明】
【００８４】
１，１Ａ…デスク装置（天板昇降式什器）
１２…ベース部材（ベース部）
１４…昇降ユニット
１４ａ…筒状体（下部脚体）
１４ｂ…筒状体（上部脚体）
１４ｃ…筒状体（上部脚体）
２１…天板
４１…上部幕板
４３，１４３…下部幕板
４５…ケーブル保護チェーン
５０，１５０…取付部材（中空部材）
５３ｘ…係止孔（連通孔）
６０…幕板ブラケット
６２…係止爪部（取付部）
Ｓ１…空間部
Ｆ…床面
【図１】
0006641621.tif 000002
【図２】
0006641621.tif 000003
【図３】
0006641621.tif 000004
【図４】
0006641621.tif 000005
【図５】
0006641621.tif 000006
【図６】
0006641621.tif 000007
【図７】
0006641621.tif 000008
【図８】
0006641621.tif 000009
【図９】
0006641621.tif 000010